(57)【要約】【課題】  入賞部品の小型化を図ることができ、入賞部品の製造効率を向上できる遊技機を提供する。【解決手段】  一般入賞口ユニットは、本体部４４０の裏面側に取り付けられる背面部材４５０の方に樋４５２を設け、しかも、背面部材４５０の本体部４４０への取り付け状態を裏面視した場合に、樋４５２を一般入賞口３１のネジ穴３１ｃに重なるようにして背面部材４５０を本体部４４０に取り付けているので、一般入賞口３１を裏面視した状態での排出口３１ｂの下方近接箇所で樋４５２の先端が重なる箇所にまでネジ穴３１ｃを近づけて形成することができ、一般入賞口３１の本体部４４０への締結のためのネジ穴３１ｃ等も縮小化することができ、一般入賞口３１の本体部４４０への皿ネジによる締結作業に際して、邪魔になる部材等は無く、ネジの螺入作業がし易く、入賞部品の製造効率を向上させることができる。【選択図】        図１２
2006218020.tif 000002
【特許請求の範囲】
【請求項１】
発射手段により発射された遊技球が転動可能な遊技領域を有する遊技盤を備えた遊技機において、
前記遊技盤は、
遊技領域を流下する遊技球が入球可能な入球手段と、
正面視した状態で遊技領域を含む大きさのものであって、前記入球手段を遊技領域の所定箇所に配設するための取り付け用貫通孔を有する板状部材と、
を備えたものであり、
前記入球手段は、遊技領域を流下する遊技球が入力可能な受け部と、前記受け部が取り付けられる本体部と、前記本体部の裏面側に取り付けられる背面部材とを備え、
前記受け部は、前記遊技盤面より前方に突出し、その突出箇所の上面に形成された入力開口と、前記入力開口に入った遊技球を前記遊技盤の奥行き方向に出力するように開口形成された排出口と、を備えたものであり、当該受け部を裏面視した状態での前記排出口の下方近接箇所にネジ穴が形成されたものであり、
前記本体部は、前記受け部の前記ネジ穴に対応する箇所に形成された、前記受け部を取り付けるための第１貫通孔と、前記板状部材に取り付けるための第２貫通孔と、を有する取り付け板を備え、前記取り付け板で前記取り付け用貫通孔を塞ぐように前記板状部材に取り付けられるものであり、
前記背面部材は、前記受け部の前記排出口からの遊技球を通すための通路であって前記遊技盤の厚み方向に所定長さを有する樋を備え、前記本体部への取り付け状態を裏面視した場合に、前記樋を前記受け部の前記ネジ穴の少なくとも一部に重なるようにして前記本体部に取り付けられている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、遊技者のハンドル操作に従って遊技球発射装置から打ち出された遊技球が転動（流下）可能な遊技領域を前面側（遊技者と対向する側）に有する遊技盤を備えている。この遊技盤は、その遊技領域の所定箇所に、始動口や大入賞口や普通入賞口などと呼ばれる、遊技球の入賞が可能な各種の入賞部品が配設されている。具体的には、遊技盤の所定箇所には、入賞部品を取り付けるための取り付け用貫通孔が形成されており、これらの入賞部品に入賞した遊技球は、当該入賞部品の樋を通じて遊技盤の裏面側に案内され、当該遊技盤の裏面側の略全面を覆うように取り付けられた集合板の排出通路を通って所定箇所（例えば１箇所）に集められて遊技盤の裏面側で遊技島に排出されるようになっている（例えば、特許文献１参照）。
【特許文献１】特開平１１−２７６６６９号公報（第２頁，第１０図）
【発明の開示】
【発明が解決しようとする課題】
【０００３】
しかしながら、このような構成を有する従来例の場合には、次のような問題がある。
すなわち、従来のパチンコ機では、例えば、上述した普通入賞口の入賞部品は、遊技領域を流下する遊技球が入力可能な受け部と、この受け部が取り付けられる本体部とを備えている。受け部は、遊技領域を流下する遊技球が入力可能なものであり、遊技盤面より前方（遊技者と対向する側）に突出し、上面に入力開口が形成され、かつ、奥行き方向（遊技盤の奥行きに進む方向）に排出口が形成されたものである。また、本体部は、受け部が取り付けられる装飾板を備え、この装飾板の裏面側の突出部分が遊技盤の取り付け用貫通孔に挿入されるようにして遊技領域の所定箇所に取り付けられるものである。また、本体部は、その裏面側で受け部に対応する箇所に、当該受け部に入球された遊技球を遊技盤の裏面側に案内するための、遊技盤の厚み程度の長さで装飾板から裏面側に突出した樋を備えている。
【０００４】
ところで、遊技領域における遊技球の転動（流下）領域をできるだけ大きく保有したいという本来的要望を確保するために、受け部の厚みを最小限とすることなどで受け部自体を必要最小限の大きさとしている。受け部は本体部に対してネジにより締結されており、この受け部の本体部への締結のためのネジ穴等もその縮小化が望まれているが、これ以上小型化することができないという問題がある。すなわち、受け部の排出口と本体部の樋とを位置合わせして当該受け部が本体部にネジで締結されることから、受け部での樋が当接する箇所にはネジ穴を形成することができず、その樋よりも外側にずれた箇所にネジ穴を形成しなければならない。つまり、雌ネジが円筒内に螺刻されたネジ部の外形について小型化が望まれるが、これ以上小さくすることができない。
【０００５】
また、本体部の貫通孔を介してネジを受け部のネジ穴に螺入するようにして受け部を本体部に取り付けることになるが、本体部の樋の近傍に受け部のネジ穴が存在し、突き出た樋の近傍を沿わせるような格好でネジを螺入する作業を行わなければならず、ネジの螺入作業が非常にし難く、入賞部品の製造に手間がかかるという問題がある。
【０００６】
本発明は、このような事情に鑑みてなされたものであって、入賞部品の小型化を図ることができ、入賞部品の製造効率を向上させることができる遊技機を提供することを目的とする。
【課題を解決するための手段】
【０００７】
本発明は、発明者による鋭意研究に基づき、発想の転換により成されたものである。つまり、従来の入賞部品は、遊技盤面よりも前方に突出した、遊技球の入球が可能な受け部と、この受け部に入球された遊技球を遊技盤の裏面側まで案内排出するための樋を、遊技盤の貫通孔内に位置させるように有する本体部と、を備えるものである。つまり、受け部が取り付けられる本体部に樋を設けることで、受け部から本体部へと橋渡しして遊技盤の貫通孔を通って遊技盤の裏面側に案内排出するという通常の技術概念に立脚したものである。言い換えれば、橋渡しする本体部に樋を設けることはごく自然な考え方であるが故に、その他の考え方は完全に希薄となっており、前述の自然な考え方しか思いつかないという程一般常識化している。しかしながら、発明者は、前述した問題点を鋭意研究することで、通常は樋としての機能を有する筈の本体部からその機能を排除し、かつ、本来樋（通路）とは無関係な他の部材を樋として使用するという発想の転換を図ることで、本発明を完成するに至ったのである。
【０００８】
この発明は、このような目的を達成するために、前述の知見により完成されたものであり、次のような構成をとる。
すなわち、請求項１に記載の発明は、
発射手段により発射された遊技球が転動可能な遊技領域を有する遊技盤を備えた遊技機において、
前記遊技盤は、
遊技領域を流下する遊技球が入球可能な入球手段と、
正面視した状態で遊技領域を含む大きさのものであって、前記入球手段を遊技領域の所定箇所に配設するための取り付け用貫通孔を有する板状部材と、
を備えたものであり、
前記入球手段は、遊技領域を流下する遊技球が入力可能な受け部と、前記受け部が取り付けられる本体部と、前記本体部の裏面側に取り付けられる背面部材とを備え、
前記受け部は、前記遊技盤面より前方に突出し、その突出箇所の上面に形成された入力開口と、前記入力開口に入った遊技球を前記遊技盤の奥行き方向に出力するように開口形成された排出口と、を備えたものであり、当該受け部を裏面視した状態での前記排出口の下方近接箇所にネジ穴が形成されたものであり、
前記本体部は、前記受け部の前記ネジ穴に対応する箇所に形成された、前記受け部を取り付けるための第１貫通孔と、前記板状部材に取り付けるための第２貫通孔と、を有する取り付け板を備え、前記取り付け板で前記取り付け用貫通孔を塞ぐように前記板状部材に取り付けられるものであり、
前記背面部材は、前記受け部の前記排出口からの遊技球を通すための通路であって前記遊技盤の厚み方向に所定長さを有する樋を備え、前記本体部への取り付け状態を裏面視した場合に、前記樋を前記受け部の前記ネジ穴の少なくとも一部に重なるようにして前記本体部に取り付けられている
ことを特徴とするものである。
【０００９】
［作用・効果］請求項１に記載の発明によれば、発射手段により発射された遊技球が転動可能な遊技領域を有する遊技盤は、遊技領域を流下する遊技球が入球可能な入球手段と、正面視した状態で遊技領域を含む大きさのものであって、入球手段を遊技領域の所定箇所に配設するための取り付け用貫通孔を有する板状部材と、を備えている。入球手段は、遊技領域を流下する遊技球が入力可能な受け部と、この受け部が取り付けられる本体部と、この本体部の裏面側に取り付けられる背面部材とを備えている。受け部は、遊技盤面より前方に突出し、その突出箇所の上面に形成された入力開口と、この入力開口に入った遊技球を遊技盤の奥行き方向に出力するように開口形成された排出口と、を備えたものであり、当該受け部を裏面視した状態での排出口の下方近接箇所にネジ穴が形成されたものである。本体部は、受け部のネジ穴に対応する箇所に形成された、受け部を取り付けるための第１貫通孔と、板状部材に取り付けるための第２貫通孔と、を有する取り付け板を備え、この取り付け板で取り付け用貫通孔を塞ぐように板状部材に取り付けられる。背面部材は、受け部の排出口からの遊技球を通すための通路であって遊技盤の厚み方向に所定長さを有する樋を備え、本体部への取り付け状態を裏面視した場合に、樋を受け部のネジ穴の少なくとも一部に重なるようにして本体部に取り付けられている。
【００１０】
したがって、本発明では、本体部ではなくこの本体部の裏面側に取り付けられる背面部材の方に樋を設け、しかも、背面部材の本体部への取り付け状態を裏面視した場合に、背面部材の樋を受け部のネジ穴の少なくとも一部に重なるようにして背面部材を本体部に取り付けているので、受け部を裏面視した状態での当該受け部の排出口の下方近接箇所で背面部材の樋先端が重なる箇所にまでネジ穴を近づけて形成することができ、受け部の本体部への締結のためのネジ穴等も縮小化することができる。言い換えれば、雌ネジが円筒内に螺刻されたネジ部の外形についての小型化ができる。つまり、従来例では、本体部自体に樋が形成されていることから、本体部の樋よりも外側にずれた位置までにしか貫通孔を形成することができず、受け部のネジ穴を樋よりも外側にずれた位置までにしかネジ穴を近づけることができなかったが、本発明によれば、受け部の排出口の下方近接箇所で背面部材の樋先端が重なる箇所にまでネジ穴を近づけて形成することができ、受け部の本体部への締結のためのネジ穴等も縮小化することができる。
【００１１】
また、本体部の第１貫通孔を介してネジを受け部の排出口の下方近接箇所のネジ穴に螺入していく、つまり、本体部の第１貫通孔にネジ先を挿入した状態で、当該ネジを受け部の排出口の下方近接箇所のネジ穴に螺入していくことで、受け部を本体部に締結固定することができ、受け部の本体部へのネジによる締結作業に際して、邪魔になる部材等は無く、ネジの螺入作業がし易く、入球手段（例えば、入賞部品）の製造効率を向上させることができる。つまり、従来例の場合には、本体部の突き出た樋の根本近傍に貫通孔が形成されており、その貫通孔にネジを挿入し、かつ、当該ネジを受け部のネジ穴に螺入していくという格好でネジの螺入作業を行わなければならず、突き出た樋がネジ止め作業に邪魔になり、当該作業がし難いという問題があったが、本発明によれば、受け部の本体部へのネジによる締結作業に際して、邪魔になる部材（例えば樋）等は無く、ネジの螺入作業がし易く、入球手段（例えば、入賞部品）の製造効率を向上させることができる。
【００１２】
その結果、入球手段（例えば、入賞部品）の小型化を図ることができ、入球手段（例えば、入賞部品）の製造効率を向上させることができる遊技機を提供することができる。
【００１３】
なお、本明細書は、次のような遊技機に係る発明も開示している。
【００１４】
（１）  請求項１に記載の遊技機において、
前記受け部は、前記入力開口を平面視した状態の当該受け部の底部に、当該受け部の前面側から裏面側に下がり傾斜する傾斜部を備えている
ことを特徴とする遊技機。
【００１５】
前記（１）に記載の発明によれば、受け部は、その入力開口を平面視した状態の当該受け部の底部に、受け部の前面側から裏面側に下がり傾斜する傾斜部を備えているので、受け部に入球した遊技球を受け部内の傾斜部で下り進行させて排出口から排出することができ、背面部材の樋を下り傾斜とせずとも遊技盤の裏面側に遊技球を案内排出することができ、受け部内で遊技球が詰まることもない。
【００１６】
（２）  請求項１に記載の遊技機、または、前記（１）に記載の遊技機において、
前記背面部材の前記樋は、当該背面部材を裏面視した状態において、遊技球が１個入る程度の大きさのＵの字形状としており、そのＵの字形状の当該樋の高さは少なくとも遊技球の半径長さ以上としている
ことを特徴とする遊技機。
【００１７】
前記（２）に記載の発明によれば、背面部材の樋は、当該背面部材を裏面視した状態において、遊技球が１個入る程度の大きさのＵの字形状としており、そのＵの字形状の当該樋の高さは少なくとも遊技球の半径長さ以上としているので、樋を通る遊技球が樋から脱落するようなことがなく、好適に遊技盤の裏面側に案内排出することができる。
【００１８】
（３）  請求項１に記載の遊技機、または、前記（１）または（２）に記載の遊技機において、
前記取り付け板は、その所定箇所に装飾表示部を備え、
前記背面部材は、前記装飾表示部の裏面側を覆うための背面板部を備え、
前記樋は、前記背面板部から前記受け部の前記排出口に向けて延出したものとしている
ことを特徴とする遊技機。
【００１９】
前記（３）に記載の発明によれば、取り付け板は、その所定箇所に装飾表示部を備えている。背面部材は、装飾表示部の裏面側を覆うための背面板部を備えている。樋は、背面板部から受け部の排出口に向けて延出したものとしている。したがって、本体部の装飾表示部の裏面側、つまり、取り付け板の装飾表示部の裏面側を覆うための背面板部に遊技球を案内排出する樋を設けることができ、背面板部を主体とする背面部材である場合でも、入球手段（例えば、入賞部品）の小型化を図ることができ、入球手段（例えば、入賞部品）の製造効率を向上させることができる遊技機を提供することができる。
【００２０】
（４）  前記（３）に記載の遊技機において、
前記本体部は、前記取り付け板の裏面側で突出する部分であって前記取り付け用貫通孔に挿入される背面突出部を備え、前記背面突出部を前記取り付け用貫通孔に挿入し、かつ、前記取り付け板で前記取り付け用貫通孔を塞ぐように前記板状部材に取り付けられるものであり、
前記背面部材は、前記背面突出部の裏面側を覆うための背面板部を備え、
前記樋は、前記背面板部から前記受け部の前記排出口に向けて延出したものとしている
ことを特徴とする遊技機。
【００２１】
前記（４）に記載の発明によれば、本体部は、取り付け板の裏面側で突出する部分であって取り付け用貫通孔に挿入される背面突出部を備え、この背面突出部を取り付け用貫通孔に挿入し、かつ、取り付け板で取り付け用貫通孔を塞ぐように板状部材に取り付けられる。背面部材は、背面突出部の裏面側を覆うための背面板部を備えている。樋は、背面板部から受け部の排出口に向けて延出したものとしている。したがって、本体部の背面突出部の裏面側、つまり、取り付け板の背面突出部の裏面側を覆うための背面板部に遊技球を案内排出する樋を設けることができ、取り付け用貫通孔に挿入される背面突出部を有する取り付け板からなる本体部であっても、入球手段（例えば、入賞部品）の小型化を図ることができ、入球手段（例えば、入賞部品）の製造効率を向上させることができる遊技機を提供することができる。
【００２２】
（５）  請求項１に記載の遊技機、または、前記（１）から（４）のいずれか一つに記載の遊技機において、
前記受け部は、前記ネジ穴を単数個とし、当該受け部を裏面視した状態での前記排出口の下方近接箇所の前記ネジ穴とは異なる箇所に、前記本体部の前記取り付け板に係合する係合爪を備え、
前記取り付け板は、前記係合爪が係合する被係合部を備えている
ことを特徴とする遊技機。
【００２３】
前記（５）に記載の発明によれば、受け部は、ネジ穴を単数個とし、当該受け部を裏面視した状態での排出口の下方近接箇所のネジ穴とは異なる箇所に、本体部の取り付け板に係合する係合爪を備えている。取り付け板は、係合爪が係合する被係合部を備えている。したがって、単数個のネジと係合爪とにより受け部を本体部の取り付け板に強固に取り付けることができ、複数個のネジ穴を形成する必要がないことから、一の受け部に対して複数個のネジ穴を形成することによって受け部が大型化するという問題も発生しない。
【００２４】
（６）  請求項１に記載の遊技機、または、前記（１）から（５）のいずれか一つに記載の遊技機において、
前記本体部は、前記受け部が複数個取り付けられるものであり、
前記背面部材は、複数個の前記受け部それぞれに対応するように前記樋を複数個有している
ことを特徴とする遊技機。
【００２５】
前記（６）に記載の発明によれば、本体部は、受け部が複数個取り付けられるものである。背面部材は、複数個の受け部それぞれに対応するように樋を複数個有している。したがって、複数個の受け部の小型化を図ることができ、入球手段（例えば、入賞部品）の製造効率を向上させることができる遊技機を提供することができる。
【００２６】
（７）  請求項１に記載の遊技機、または、前記（１）から（６）のいずれか一つに記載の遊技機において、
前記入球手段は、前記入力開口を一定のままとするものであって、遊技球の入球に対して所定数の賞球を行うことのみを目的とする普通入賞口である
ことを特徴とする遊技機。
【００２７】
前記（７）に記載の発明によれば、入球手段は、入力開口を一定のままとするものであって、遊技球の入球に対して所定数の賞球を行うことのみを目的とする普通入賞口であるとしているので、普通入賞口の小型化を図ることができる。
【００２８】
（８）  請求項１に記載の遊技機、または、前記（１）から（７）のいずれか一つに記載の遊技機において、
前記遊技機はパチンコ機であることを特徴とする遊技機。
【００２９】
前記（８）に記載の遊技機によれば、入球手段（例えば、入賞部品）の小型化を図ることができ、入球手段（例えば、入賞部品）の製造効率を向上させることができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３０】
（９）請求項１に記載の遊技機、または、前記（１）から（７）のいずれか一つに記載の遊技機において、
前記遊技機はパチンコ機とスロットマシンとを融合させたものであることを特徴とする遊技機。
【００３１】
前記（９）に記載の遊技機によれば、入球手段（例えば、入賞部品）の小型化を図ることができ、入球手段（例えば、入賞部品）の製造効率を向上させることができる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【発明の効果】
【００３２】
この発明に係る遊技機によれば、発射手段により発射された遊技球が転動可能な遊技領域を有する遊技盤は、遊技領域を流下する遊技球が入球可能な入球手段と、正面視した状態で遊技領域を含む大きさのものであって、前記入球手段を遊技領域の所定箇所に配設するための取り付け用貫通孔を有する板状部材と、を備えたものであり、前記入球手段は、遊技領域を流下する遊技球が入力可能な受け部と、前記受け部が取り付けられる本体部と、前記本体部の裏面側に取り付けられる背面部材とを備え、前記受け部は、前記遊技盤面より前方に突出し、その突出箇所の上面に形成された入力開口と、前記入力開口に入った遊技球を前記遊技盤の奥行き方向に出力するように開口形成された排出口と、を備えたものであり、当該受け部を裏面視した状態での前記排出口の下方近接箇所にネジ穴が形成されたものであり、前記本体部は、前記受け部の前記ネジ穴に対応する箇所に形成された、前記受け部を取り付けるための第１貫通孔と、前記板状部材に取り付けるための第２貫通孔と、を有する取り付け板を備え、前記取り付け板で前記取り付け用貫通孔を塞ぐように前記板状部材に取り付けられるものであり、前記背面部材は、前記受け部の前記排出口からの遊技球を通すための通路であって前記遊技盤の厚み方向に所定長さを有する樋を備え、前記本体部への取り付け状態を裏面視した場合に、前記樋を前記受け部の前記ネジ穴の少なくとも一部に重なるようにして前記本体部に取り付けられている。したがって、本体部ではなくこの本体部の裏面側に取り付けられる背面部材の方に樋を設け、しかも、背面部材の本体部への取り付け状態を裏面視した場合に、背面部材の樋を受け部のネジ穴の少なくとも一部に重なるようにして背面部材を本体部に取り付けているので、受け部を裏面視した状態での当該受け部の排出口の下方近接箇所で背面部材の樋先端が重なる箇所にまでネジ穴を近づけて形成することができ、受け部の本体部への締結のためのネジ穴等も縮小化することができる。また、本体部の第１貫通孔を介してネジを受け部の排出口の下方近接箇所のネジ穴に螺入していく、つまり、本体部の第１貫通孔にネジ先を挿入した状態で、当該ネジを受け部の排出口の下方近接箇所のネジ穴に螺入していくことで、受け部を本体部に締結固定することができ、受け部の本体部へのネジによる締結作業に際して、邪魔になる部材等は無く、ネジの螺入作業がし易く、入球手段（例えば、入賞部品）の製造効率を向上させることができる。その結果、入球手段（例えば、入賞部品）の小型化を図ることができ、入球手段（例えば、入賞部品）の製造効率を向上させることができる遊技機を提供することができる。
【発明を実施するための最良の形態】
【００３３】
以下、パチンコ遊技機（以下、単に「パチンコ機」という）の一実施の形態を、図面に基づいて詳細に説明する。図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００３４】
図１，２に示すように、パチンコ機１０は、当該パチンコ機１０の外殻を形成する外枠１１と、この外枠１１の一側部に開閉可能に支持された内枠１２とを備えている。
【００３５】
内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。
【００３６】
内枠１２の構成を図３も用いて詳細に説明する。図３は、パチンコ機１０から前面枠セット１４を取り外した状態を示す正面図である（但し、図３では便宜上、遊技盤３０面上の遊技領域内の構成を空白で示している）。
【００３７】
内枠１２は、大別すると、図２に示すように、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０（図３参照）と、この樹脂ベース２０の後側に取り付けられる遊技盤３０（図４参照）とを備えている。
【００３８】
下皿ユニット１３は、図２に示すように、内枠１２に対してネジ等の締結具により固定されている。この下皿ユニット１３の前面側には、図１に示すように、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８とセットハンドルと発射モータなどで構成されている。音出力口２４は、下皿ユニット１３内あるいは背面に設けられたスピーカからの音を出力するための出力口である。
【００３９】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のもの）を差し入れるなどの不正行為を防止できるようになっている。
【００４０】
一方、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。
【００４１】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。また、窓穴２１には、２枚のガラス１３７（図２参照）が前後に所定間隔を隔てて取着されている（二重ガラス構造）。
【００４２】
次に、図４を用いて遊技盤３０の構成を説明する。図４は遊技盤３０の構成を示す正面図である。遊技盤３０は、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３、第２の始動口３４、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球が入球し、当該入球が後述する検出スイッチ（入賞口スイッチ（図示省略）、カウントスイッチ（図示省略）、作動口スイッチ２２４（図５参照）等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００４３】
可変表示装置ユニット３５は、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００４４】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００４５】
第１図柄表示装置４２は液晶表示装置として構成されており、後述する表示制御装置４５により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は例えば９．５インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当し、上述した表示制御装置４５が本発明における表示制御手段に相当する。
【００４６】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなった場合に特別遊技状態が発生する。そして、可変入賞装置３２の大入賞口３２ａが所定の開放状態となり、遊技球が入賞しやすい状態（大当たり状態）になるよう構成されている。具体的には、所定時間の経過又は所定個数の入賞を１ラウンドとして、可変入賞装置３２の大入賞口３２ａが所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００４７】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４８】
内レール５１の先端部分（図４の左上部）には戻り球防止部材５３が取着されている。これにより、一旦、内レール５１及び外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００４９】
内レール５１及び外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００５０】
次に、遊技領域について説明する。遊技領域は、レールユニット５０の内周部（内外レール）により略円形状に区画形成されており、特に本実施の形態では、遊技盤３０の盤面上に区画される遊技領域が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００５１】
なお、可変表示装置ユニット３５の両側に位置する第２の始動口３４は、該第２の始動口３４を通過した遊技球が中央の方へ寄せられるような案内機構を有している。これにより、遊技領域が左右方向に拡張されている場合であっても、遊技球を中央の第１の始動口３３や可変入賞装置３２の方へと案内することができ、ひいては、遊技領域が拡張されることにより遊技球が入賞しにくくなることによる興趣の低下が抑制されるようになっている。さらには、遊技領域が左右方向に拡張されていることによって、風車３７、第２の始動口３４、複数の釘（遊技球を中央に誘導するための誘導釘）、他の役物を種々配設することができ、可変表示装置ユニット３５の左右両側の遊技領域での遊技球の挙動を一層面白くすることができるようになっている。また、遊技領域が上下方向にも拡張されていることから、さらに風車３７、第２の始動口３４、複数の釘、他の役物を種々配設することができ、遊技領域での上下方向の遊技球の挙動をより一層面白くすることができるようになっている。
【００５２】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００５３】
本パチンコ機１０の場合、遊技領域が従来よりも大幅に拡張されており、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００５４】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００５５】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００５６】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００５７】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている。前面枠セット１４を内枠１２から開放した状態（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００５８】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００５９】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００６０】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータへ出力されるようになっている。
【００６１】
前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ（発光ダイオード）等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６３】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２には、カウントスイッチ（図示省略）が設けられている。カウントスイッチは、入賞球をカウントするスイッチである。また、第１の始動口３３に対応する位置には作動口スイッチ２２４が設けられ、第２の始動口３４に対応する位置にはゲートスイッチ（図示省略）が設けられている。なお、上述した作動口スイッチ２２４が本発明における入賞検出手段に相当する。
【００６４】
入賞口スイッチ（図示省略）及びゲートスイッチ（図示省略）は、図示しない電気配線を通じて盤面中継基板（図示省略）に接続され、さらにこの盤面中継基板（図示省略）が後述する主基板（主制御装置２６１）に接続されている。また、カウントスイッチ（図示省略）は大入賞口中継基板（図示省略）に接続され、さらにこの大入賞口中継基板（図示省略）がやはり主基板に接続されている。これに対し、作動口スイッチ２２４は中継基板を介さずに直接主基板に接続されている。
【００６５】
その他図示は省略するが、可変入賞装置３２には、大入賞口３２ａを開放するための大入賞口ソレノイドが設けられ、第１の始動口３３には、電動役物を開放するための作動口ソレノイドが設けられている。
【００６６】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００６７】
次に、本パチンコ機１０の電気的構成について、図５を用いて説明する。図５は、本パチンコ機１０の電気的構成を示したブロック図である。本パチンコ機１０は、主制御装置２６１と、払出制御装置３１１と、発射制御装置３１２と、表示制御装置４５と、電源装置３１３などを備えている。以下に、これらの装置を個別に詳細に説明する。
【００６８】
主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備している。
【００６９】
また、音声ランプ制御装置２６２は、例えば主制御装置２６１（主基板）又は表示制御装置４５からの指示に従い音声やランプ表示の制御を司るＣＰＵや、その他ＲＯＭ、ＲＡＭ、各種ポート等を含む音声ランプ制御基板を具備している。音声ランプ制御装置２６２上には電源中継基板２６６が搭載されており、後述する電源基板より供給される電源がこの電源中継基板２６６を介して表示制御装置４５及び音声ランプ制御装置２６２に出力されるようになっている。
【００７０】
払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者による遊技球発射ハンドル１８の操作に従い発射モータ（図示省略）の制御が行われ、電源装置３１３の電源基板により、各種制御装置等で要する所定の電源電圧が生成され出力される。
【００７１】
また、電源装置３１３にはＲＡＭ消去スイッチ（図示省略）が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチを押しながら電源を投入することとしている。
【００７２】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７３】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【００７４】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７５】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路６４３、払出制御装置３１１、表示制御装置４５や、その他図示しないスイッチ群などが接続されている。
【００７６】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００７７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【００７８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００８０】
発射制御装置３１２は、発射モータ（図示省略）による遊技球の発射を許可又は禁止するものであり、発射モータは、所定条件が整っている場合に駆動が許可される。具体的には、払出制御装置３１１から発射許可信号が出力されていること、遊技者が遊技球発射ハンドル１８をタッチしていることをセンサ信号により検出していること、発射を停止させるための発射停止スイッチが操作されていないことを条件に、発射モータが駆動され、遊技球発射ハンドル１８の操作量に応じた強度で遊技球が発射される。
【００８１】
表示制御装置４５は、第１図柄表示装置４２における第１図柄の変動表示と、第２図柄表示装置４１における第２図柄の変動表示とを制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置４１（表示部４３）や、音声ランプ制御装置２６２が接続されている。また、画像コントローラ５２６にはバスライン５３１を介して出力ポート５２９が接続されており、その出力ポート５２９の出力には液晶表示装置である第１図柄表示装置４２が接続されている。
【００８２】
表示制御装置４５のＣＰＵ５２１は、主制御装置２６１から送信される表示コマンドに基づいて第１図柄表示装置４２及び第２図柄表示装置４１の表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８３】
ビデオＲＡＭ５２４は、第１図柄表示装置４２に表示される表示データを記憶するためのメモリであり、このビデオＲＡＭ５２４の内容を書き替えることにより、第１図柄表示装置４２の表示内容が変更される。キャラクタＲＯＭ５２５は、第１図柄表示装置４２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４２に表示させるものである。
【００８４】
また、電源装置３１３は、パチンコ機１０の各部に電力を供給するための電源部５４１と、停電等による電源遮断を監視する停電監視回路５４２と、ＲＡＭ消去スイッチ（図示省略）に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８５】
停電監視回路５４２は、停電等の発生による電源断時に、主制御装置２６１のＣＰＵ５０１及び払出制御装置３１１のＣＰＵ５１１の各ＮＭｌ端子へ停電信号Ｓ１を出力するための回路である。停電監視回路５４２は、電源部５４１で交流５ボルトの電圧を監視し、この電圧が５ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００８６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８７】
ＲＡＭ消去スイッチ回路５４３は、ＲＡＭ消去スイッチ（図示省略）のスイッチ信号を取り込み、そのスイッチの状態に応じて主制御装置２６１のＲＡＭ５０３及び払出制御装置３１１のＲＡＭ５１３のバックアップデータをクリアするための回路である。ＲＡＭ消去スイッチが押下された際、ＲＡＭ消去スイッチ回路５４３は、ＲＡＭ消去信号Ｓ２を主制御装置２６１及び払出制御装置３１１に出力する。ＲＡＭ消去スイッチが押下された状態でパチンコ機１０の電源が投入されると（停電解消による電源入を含む）、主制御装置２６１及び払出制御装置３１１においてそれぞれのＲＡＭ５０３，６１３のデータがクリアされる。
【００８８】
ところで、第１図柄表示装置（液晶表示装置）４２には、図６に示すように、上・中・下の３つの図柄列Ｕ，Ｍ，Ｄが設定されており、図柄列Ｕ，Ｍ，Ｄ毎に左図柄、中図柄、右図柄の３個ずつの図柄（第１図柄：例えば特別図柄）が横方向に変動表示される。本実施の形態では、一連の図柄は、「０」〜「９」の数字を各々付した、海中生物などの絵柄からなる主図柄ＳＺと、貝型形状の絵図柄からなる副図柄ＦＺとにより構成されており、数字の昇順に主図柄ＳＺが表示されると共に各主図柄ＳＺの間に副図柄ＦＺが配されて一連の図柄列Ｕ，Ｍ，Ｄが構成されている。そして、周期性を持って主図柄ＳＺと副図柄ＦＺが右から左へと変動表示されるようになっている。
【００８９】
かかる場合、上図柄列Ｕおよび中図柄列Ｍにおいて、上記一連の図柄が昇順（すなわち、主図柄ＳＺの番号が増える順）に表示され、下図柄列Ｄにおいて、上記一連の図柄が降順（すなわち、主図柄ＳＺの番号が減る順）に表示される。そして、第１の始動口３３への入賞に基づいて一連の図柄列Ｕ，Ｍ，Ｄの変動表示が開始され、そして、上図柄列Ｕ→下図柄列Ｄ→中図柄列Ｍの順に変動表示が停止し、その停止時に第１図柄表示襲置４２上の５つの有効ライン、すなわち左ラインＬ１、中ラインＬ２、右ラインＬ３、右上がりラインＬ４、左上がりラインＬ５の何れかで主図柄ＳＺが大当たり図柄の組合せ（本実施の形態では、同一の主図柄ＳＺの組合せ）で揃えば大当たりとして特定遊技動画（特別遊技動画）が表示されるようになっている。
【００９０】
なおここで、主制御装置２６１で行われる大当り抽選などの機能について説明する。主制御装置２６１は、大当り状態の発生を抽選する抽選部（図示省略）を備えている。つまり、主制御装置２６１は、抽選部（図示省略）で当選すると、第１図柄表示装置４２での第１図柄の変動表示結果が予め設定した特定の図柄の組合せ（大当り図柄）となる表示演出を指示し、大当り表示後に大当り状態を発生させる機能を有するものである。要するに、主制御装置２６１は、例えば「０〜６７６」までの値をとり得る大当たり乱数カウンタＣ１（特別遊技状態となるか否かを決定するための第１乱数群）の値（第１乱数）に基づいて特別遊技状態を発生させているのである。
【００９１】
具体的には、主制御装置２６１のＣＰＵ５０１は、大当たり乱数カウンタＣ１を発生させる図示省略の第１乱数発生部（第１乱数群発生機能）を有している。また、主制御装置２６１は、第１の始動口３３に遊技球が入賞する毎に、ＲＡＭ５０３の保留球格納エリアのうちの大当たり乱数カウンタＣ１の値を記憶するエリア（図示省略の第１乱数記憶部）を備えている。さらに、主制御装置２６１のＣＰＵ５０１は、この保留球格納エリア（図示省略の第１乱数記憶部）に記憶された大当たり乱数カウンタＣ１の値が当り値であるか否かを判定する図示省略の第１判定部（判定機能）も有している。
【００９２】
つまり、第１の始動口３３に設けられた作動口スイッチ２２４での遊技球の入賞検出のタイミングで、第１乱数発生部（図示省略）での大当り乱数カウンタＣ１の値（第１乱数）がＲＡＭ５０３の保留球格納エリア（図示省略の第１乱数記憶部）に記憶されるようになっている。また、低確率時においては、第１判定部（図示省略）は、第１乱数記憶部（図示省略）に記憶された大当り乱数カウンタＣ１の値（第１乱数）が２個の値「３３７，６７３」であれば大当りと判定し、そうでなければ外れと判定する。また、高確率時（確率変動時とも言う）においては、第１判定部（図示省略）は、第１乱数記憶部（図示省略）に記憶された大当り乱数カウンタＣ１の値（第１乱数）が１０個の値「６７，１３１，１９９，２８９，３３７，４０１，４６３，５２３，６０１，６６１」であれば大当りと判定し、そうでなければ外れと判定する。上述の第１乱数発生部（図示省略），第１判定部（図示省略）は、ＣＰＵ５０１に所定のプログラムを実行させることで実現されている。
【００９３】
そして、ＣＰＵ５０１で大当たり乱数カウンタＣ１の値が当り値であると判定した場合には、主制御装置２６１から可変入賞装置３２に特別遊技状態とするための信号が出力される。可変入賞装置３２は、主制御装置２６１からの当該指示に基づいて、遊技球が入賞しやすい開状態と通常の閉状態とに繰り返し作動するという大当たり動作を実行するようになっている。
【００９４】
次に、本実施例のパチンコ機１０のさらなる特徴部分の構成について、図７〜図１２を用いて説明する。図７は実施例の遊技盤３０を前面斜め上から見た分解斜視図である。図８は実施例の一般入賞口ユニット４３０を前面斜め上から見た外観斜視図である。図９は実施例の一般入賞口ユニット４３０の正面図である。図１０は実施例の一般入賞口ユニット４３０を前面斜め上から見た分解斜視図である。図１１は実施例の一般入賞口ユニット４３０を裏面斜め上から見た分解斜視図である。図１２（ａ）は実施例の一般入賞口ユニット４３０の要部箇所を裏面斜め上から見た分解斜視図であり、図１２（ｂ）は（ａ）に示す一般入賞口３１を取り付け板４４３に取り付けた箇所を斜め上から見た分解斜視図である。
【００９５】
図４に示すように、実施例の遊技盤３０は、遊技者の遊技球発射ハンドル１８（図１参照）の操作によって打ち込まれた遊技球が転動（流下）可能な、正面視で略円形の遊技領域を備えている。また、実施例の遊技盤３０は、図７に示すように、その前面側から順にセルシート４１０とベニヤ板４２０とを備えている。
【００９６】
なお、遊技盤３０の前面側、つまり、遊技盤３０のセルシート４１０の前面側には、図４に示すように、センターフレーム４７や一般入賞口３１などの遊技部品や釘などが配設されている。また、ベニヤ板４２０の後面側（裏面側）、つまり、ベニヤ板４２０におけるセルシート４１０と当接する面とは反対側の面には、図示は省略するが、各種入賞口（一般入賞口３１、可変入賞装置３２および第１の始動口３３）に入賞した遊技球を集めて排出するための集合板や、第１図柄表示装置４２などが取り付けられている。
【００９７】
ベニヤ板４２０は、遊技領域を流下する遊技球の挙動に変化を与えるための釘が前面側に打ち付け固定可能なものである。このベニヤ板４２０は、その厚みを例えば２０ｍｍ（ミリ）としている。なお、ベニヤ板４２０の厚みを２０ｍｍ（ミリ）以外としてもよい。
【００９８】
セルシート４１０は、図７に示すように、ベニヤ板４２０の前面側に設けられるものであり、その前面側（表示面側）に、パチンコ機１０を表すための表示としてのパチンコ機１０の機種名を表示する表示部分と、遊技領域を装飾するために当該機種の特徴（あるいは個性）で装飾表示する表示部分とが描画（印刷）されたものである。セルシート４１０は、ベニヤ板４２０とは別体であり、パチンコ機１０の前面側から前述の描画面が視認可能となるようにベニヤ板４２０の前面側に貼り付けられるものである。つまり、セルシート４１０の裏面側には、その全面にわたって接着剤層を有しており、セルシート４１０の裏面側をベニヤ板４２０の前面側に密着させて貼り付けることができるようになっている。このセルシート４１０は、その厚みを例えば１ｍｍ（ミリ）としている。なお、セルシート４１０の裏面側に替えてベニヤ板４２０の前面側に接着剤層を有するようにしてもよい。また、セルシート４１０の厚みが１ｍｍ以下のものを採用するようにしてもよい。
【００９９】
なお、図７に示すように、セルシート４１０とベニヤ板４２０とは、それらを正面視した状態での外周形状が同一形状となっているが、セルシート４１０は、遊技領域以上の大きさで、かつ、ベニヤ板４２０の正面視での外周形状よりも小さい形状であってもよい。
【０１００】
遊技盤３０は、遊技領域を流下する遊技球が入球可能な一般入賞口３１（図４参照）を有する一般入賞口ユニット４３０と、図７に示すように、正面視した状態で遊技領域を含む大きさのものであって、この一般入賞口ユニット４３０を遊技領域の所定箇所に配設するための取り付け用貫通孔４２２を有するベニヤ板４２０と、を備えている。
【０１０１】
一般入賞口ユニット４３０は、図８〜図１１に示すように、遊技領域を流下する遊技球が入力可能な一般入賞口３１と、この一般入賞口３１が取り付けられる本体部４４０と、この本体部４４０の裏面側に取り付けられる背面部材４５０とを備えている。
【０１０２】
一般入賞口３１は、図１０，図１１に示すように、遊技盤３０の盤面より前方に突出し、その突出箇所の上面に形成された入力開口３１ａと、この入力開口３１ａに入った遊技球を遊技盤３０の奥行き方向に出力するように開口形成された排出口３１ｂと、を備えたものであり、当該一般入賞口３１を裏面視した状態での排出口３１ｂの下方近接箇所にネジ穴３１ｃが形成されたものである。一般入賞口３１は、入力開口３１ａを一定のままとするものであって、遊技球の入球に対して所定数の賞球を行うことのみを目的とする入賞口、いわゆる普通入賞口である。
【０１０３】
本体部４４０は、図１０，図１１に示すように、一般入賞口３１のネジ穴３１ｃに対応する箇所に形成された、一般入賞口３１を取り付けるための第１貫通孔４４１と、ベニヤ板４２０に取り付けるための第２貫通孔４４２と、を有する取り付け板４４３を備えている。この取り付け板４４３でベニヤ板４２０の取り付け用貫通孔４２２を塞ぐようにして取り付け板４４３がベニヤ板４２０に取り付けられる。つまり、取り付け板４４３の第２貫通孔４４２にネジ先が通された当該ネジをベニヤ板４２０の対応するネジ穴（図示省略）に螺入することで、取り付け板４４３がベニヤ板４２０に締結固定される。なお、取り付け板４４３の第２貫通孔４４２にネジ先が通された当該ネジをベニヤ板４２０の対応する箇所（ネジ穴を設けていない箇所）に螺入したり、ベニヤ板４２０の貫通孔を介してベニヤ板４２０の背後の集合板（図示省略）のネジ穴に螺入したりすることで、取り付け板４４３をベニヤ板４２０に締結固定するようにしてもよい。
【０１０４】
背面部材４５０は、図１０，図１１に示すように、一般入賞口３１の排出口３１ｂからの遊技球を通すための通路であって遊技盤３０の厚み方向に所定長さ（例えば、遊技盤３０の厚み長さ：２０ｍｍ）を有する樋４５２を備えている。この樋４５２は、一般入賞口ユニット４３０がベニヤ板４２０に取り付けられた状態において、ベニヤ板４２０の取り付け用貫通孔４２２の内部に位置し、この樋４５２を通して遊技盤３０の裏面側の集合板（図示省略）の排出通路等に案内排出される。
【０１０５】
背面部材４５０は、本体部４４０への取り付け状態を裏面視した場合に、樋４５２を一般入賞口３１のネジ穴３１ｃの少なくとも一部に重なるようにして本体部４４０に取り付けられている。つまり、図１２（ｂ）に示すように、背面部材４５０の樋４５２は、その先端が、取り付け板４４３の裏面側で一般入賞口３１の排出口３１ｂの下方近傍箇所（図１２（ｂ）に示す斜線領域部分）に当接した状態で、背面部材４５０が本体部４４０に取り付けられることになり、一般入賞口３１のネジ穴３１ｃに対応する箇所の本体部４４０の第１貫通孔４４１の少なくとも一部に樋４５２の先端が重なっている。
【０１０６】
なお、本体部４４０の第１貫通孔４４１は皿穴としており、本体部４４０の第１貫通孔４４１を通して一般入賞口３１のネジ穴３１ｃに螺入されるネジは皿ネジを採用しているので、一般入賞口３１を本体部４４０に締結した状態での皿ネジの頭は、取り付け板４４３の裏面側に突出しないようになっている。したがって、背面部材４５０の樋４５２の先端を、図１２（ｂ）に示す斜線部分に当接させても、皿ネジの頭が樋４５２の先端に当ることがない。また、取り付け板４４３の第２貫通孔４４２も皿穴とし、取り付け板４４３の第２貫通孔４４２を通してベニヤ板４２０に螺入されるネジも皿ネジを採用している。
【０１０７】
また、背面部材４５０の樋４５２は、図１１に示すように、当該背面部材４５０を裏面視した状態において、遊技球が１個入る程度の大きさのＵの字形状としており、そのＵの字形状の当該樋４５２の高さは少なくとも遊技球の半径長さ以上としている。
【０１０８】
また、図１１，図１２に示すように、一般入賞口３１は、入力開口３１ａを平面視した状態の当該一般入賞口３１の底部に、当該一般入賞口３１の前面側から裏面側に下がり傾斜する傾斜部３１ｄを備えている。つまり、一般入賞口３１の入力開口３１ａから入ってきた遊技球は、傾斜部３１ｄに従って下がり傾斜方向に進み、一般入賞口３１の排出口３１ｂから背面部材４５０の樋４５２に勢いよく排出される。
【０１０９】
また、取り付け板４４３は、図８〜図１１に示すように、その所定箇所に装飾表示部４６０を備えている。装飾表示部４６０は、その左右両端に取付爪４６２を有しており、取り付け板４４３の装飾表示部４６０を取り付けるための取り付け孔４４３ａに嵌め込み係合されるようになっている。また、装飾表示部４６０は、例えば、その全体が赤色に着色されたものであり、その裏面側に微小半円球突起（例えば１ｍｍ程度）が縦横に密集して配列されたものであり、裏面側から差し込まれる光を拡散させて当該装飾表示部４６０の全面が一様に点灯するようになっている。
【０１１０】
本体部４４０は、図１１，図１２に示すように、取り付け板４４３の裏面側で突出する部分であってベニヤ板４２０の取り付け用貫通孔４２２に挿入される背面突出部４４４を備え、この背面突出部４４４を取り付け用貫通孔４２２に挿入し、かつ、取り付け板４４３で取り付け用貫通孔４２２を塞ぐようにベニヤ板４２０に取り付けられるものである。また、背面部材４５０は、背面突出部４４４の裏面側を覆うための背面板部４５４を備え、背面部材４５０の樋４５２は、背面板部４５４から一般入賞口３１の排出口３１ｂに向けて延出したものとしている。
【０１１１】
一般入賞口３１は、図１１，図１２に示すように、ネジ穴３１ｃを単数個とし、当該一般入賞口３１を裏面視した状態での排出口３１ｂの下方近接箇所のネジ穴３１ｃとは異なる箇所に、本体部４４０の取り付け板４４３に係合する係合爪４７０を備えている。係合爪４７０は、一般入賞口３１を裏面視した状態での排出口３１ｂの右側中央箇所に設けられている。また、取り付け板４４３は、係合爪４７０が係合する被係合部４４３ｂを備えている。さらに、一般入賞口３１の係合爪４７０と対向する箇所、つまり、一般入賞口３１を裏面視した状態での排出口３１ｂの左側中央箇所には、挿入突起部４７２が形成されており、取り付け板４４３の被係合部４４３ｂと対向する箇所、つまり、取り付け板４４３を裏面視した状態での排出口３１ｂの左側中央箇所には、挿入突起部４７２が挿入されるＵの字状の切り欠き部４４３ｃが設けられている。
【０１１２】
本体部４４０は、図８〜図１１に示すように、一般入賞口３１が複数個（本実施例では、例えば３個）取り付けられるものである。背面部材４５０は、この３個の一般入賞口３１それぞれに対応するように樋４５２を３個有している。
【０１１３】
なお、上述した遊技球発射装置３８が本発明における発射手段に相当し、上述した一般入賞口ユニット４３０が本発明における入球手段に相当し、上述したベニヤ板４２０が本発明における板状部材に相当する。
【０１１４】
ここで、実施例の一般入賞口ユニット４３０の組み立て手順について図１０〜図１２を用いて説明する。
【０１１５】
図１０に示すように、装飾表示部４６０を本体部４４０の取り付け板４４３の取り付け孔４４３ａに嵌め込み係合させて、装飾表示部４６０を本体部４４０に取り付ける。
【０１１６】
続いて、一般入賞口３１を本体部４４０の取り付け板４４３に取り付ける。つまり、図１２（ａ）に示すように、一般入賞口３１を裏面視した状態で当該一般入賞口３１の排出口３１ｂの右側を取り付け板４４３の被係合部４４３ｂに合わせるようにして、一般入賞口３１の係合爪４７０を取り付け板４４３の被係合部４４３ｂに係合させ、一般入賞口３１を取り付け板４４３に片当り（排出口３１ｂの右側だけを当接）させる。続いて、前記の片当り状態を維持したままで、排出口３１ｂの左側の挿入突起部４７２を取り付け板４４３の切り欠き部４４３ｃに挿入させるようにして、排出口３１ｂの左側も取り付け板４４３に当接させる。
【０１１７】
続いて、このように一般入賞口３１が取り付け板４４３に仮固定された状態において、取り付け板４４３の第１貫通孔４４１に皿ネジのネジ先を挿入し、この皿ネジを、第１貫通孔４４１を通して一般入賞口３１のネジ穴３１ｃに螺入する。こうすることで、ネジ止め作業を効率よく行うことができる。つまり、一般入賞口３１を持ちながらネジ止めする必要はなく、一般入賞口３１が取り付け板４４３に仮固定されているので、ネジ止め作業だけに集中できる。
【０１１８】
一般入賞口３１のネジ穴３１ｃに螺入された皿ネジの頭は、取り付け板４４３の裏面側に突出することなく、取り付け板４４３の第１貫通孔４４１内に位置している。このようにして、他の一般入賞口３１も同様にして取り付け板４４３に取り付ける。
【０１１９】
続いて、図１２（ｂ）に示すように、本体部４４０の取り付け板４４３に背面部材４５０を取り付ける。つまり、背面部材４５０の樋４５２の先端が取り付け板４４３の図１２（ｂ）に示す斜線部分に当接された状態で、背面部材４５０が取り付け板４４３にネジなどの締結部品により締結固定される。
【０１２０】
上述したように、本実施例のパチンコ機１０によれば、遊技球発射装置３８により発射された遊技球が転動可能な遊技領域を有する遊技盤３０は、遊技領域を流下する遊技球が入球可能な一般入賞口ユニット４３０と、正面視した状態で遊技領域を含む大きさのものであって、一般入賞口ユニット４３０を遊技領域の所定箇所に配設するための取り付け用貫通孔４２２を有するベニヤ板４２０と、を備えたものであり、一般入賞口ユニット４３０は、遊技領域を流下する遊技球が入力可能な一般入賞口３１と、この一般入賞口３１が取り付けられる本体部４４０と、この本体部４４０の裏面側に取り付けられる背面部材４５０とを備え、一般入賞口３１は、遊技盤３０の盤面より前方に突出し、その突出箇所の上面に形成された入力開口３１ａと、この入力開口３１ａに入った遊技球を遊技盤３０の奥行き方向に出力するように開口形成された排出口３１ｂと、を備えたものであり、当該一般入賞口３１を裏面視した状態での排出口３１ｂの下方近接箇所にネジ穴３１ｃが形成されたものであり、本体部４４０は、一般入賞口３１のネジ穴３１ｃに対応する箇所に形成された、一般入賞口３１を取り付けるための第１貫通孔４４１と、ベニヤ板４２０に取り付けるための第２貫通孔４４２と、を有する取り付け板４４３を備え、この取り付け板４４３で取り付け用貫通孔４２２を塞ぐようにベニヤ板４２０に取り付けられるものであり、背面部材４５０は、一般入賞口３１の排出口３１ｂからの遊技球を通すための通路であって遊技盤３０の厚み方向に所定長さを有する樋４５２を備え、本体部４４０への取り付け状態を裏面視した場合に、樋４５２を一般入賞口３１のネジ穴３１ｃの少なくとも一部に重なるようにして本体部４４０に取り付けられているので、以下の点において優れている。
【０１２１】
つまり、本実施例では、本体部４４０ではなくこの本体部４４０の裏面側に取り付けられる背面部材４５０の方に樋４５２を設け、しかも、背面部材４５０の本体部４４０への取り付け状態を裏面視した場合に、背面部材４５０の樋４５２を一般入賞口３１のネジ穴３１ｃの少なくとも一部に重なるようにして背面部材４５０を本体部４４０に取り付けているので、一般入賞口３１を裏面視した状態での当該一般入賞口３１の排出口３１ｂの下方近接箇所で背面部材４５０の樋４５２の先端が重なる箇所にまでネジ穴３１ｃを近づけて形成することができ、一般入賞口３１の本体部４４０への締結のためのネジ穴３１ｃ等も縮小化することができる。言い換えれば、雌ネジが円筒内に螺刻されたネジ部（一般入賞口３１のネジ穴３１ｃが形成されている箇所の構成）の外形についての小型化ができる。つまり、図１３，図１４に示す従来例の入賞部品４８０では、本体部４８１自体に樋４８２が形成されていることから、本体部４８１の樋４８２よりも外側にずれた位置までにしか貫通孔４８３を形成することができず、一般入賞口４８４のネジ穴４８５を樋４８２よりも外側にずれた位置までにしか近づけることができなかったが、本実施例の一般入賞口ユニット４３０によれば、一般入賞口３１の排出口３１ｂの下方近接箇所で背面部材４５０の樋４５２の先端が重なる箇所にまでネジ穴３１ｃを近づけて形成することができ、一般入賞口３１の本体部４４０への締結のためのネジ穴３１ｃ等も縮小化することができる。
【０１２２】
また、本実施例の一般入賞口ユニット４３０によれば、本体部４４０の第１貫通孔４４１を介して皿ネジを一般入賞口３１の排出口３１ｂの下方近接箇所のネジ穴３１ｃに螺入していく、つまり、本体部４４０の第１貫通孔４４１にネジ先を挿入した状態で、当該皿ネジを一般入賞口３１の排出口３１ｂの下方近接箇所のネジ穴３１ｃに螺入していくことで、一般入賞口３１を本体部４４０に締結固定することができ、一般入賞口３１の本体部４４０への皿ネジによる締結作業に際して、邪魔になる部材等は無く、ネジの螺入作業がし易く、入球手段（例えば、入賞部品）の製造効率を向上させることができる。つまり、図１３，図１４に示す入賞部品４８０の場合には、本体部４８１の突き出た樋４８２の根本近傍に貫通孔４８３が形成されており、その貫通孔４８３にネジを挿入し、かつ、当該ネジを一般入賞口４８４のネジ穴４８５に螺入していくという格好でネジの螺入作業を行わなければならず、突き出た樋４８２がネジ止め作業に邪魔になり、当該作業がし難いという問題があったが、本実施例の一般入賞口ユニット４３０によれば、一般入賞口３１の本体部４４０へのネジによる締結作業に際して、邪魔になる部材（例えば樋４５２）等は無く、ネジの螺入作業がし易く、入球手段（例えば、入賞部品）の製造効率を向上させることができる。
【０１２３】
その結果、一般入賞口３１の小型化を図ることができ、一般入賞口３１の製造効率を向上させることができる遊技機を提供することができる。
【０１２４】
また、一般入賞口３１は、その入力開口３１ａを平面視した状態の当該一般入賞口３１の底部に、一般入賞口３１の前面側から裏面側に下がり傾斜する傾斜部３１ｄを備えているので、一般入賞口３１に入球した遊技球を一般入賞口３１内の傾斜部３１ｄで下り進行させて排出口３１ｂから排出することができ、背面部材４５０の樋４５２を下り傾斜とせずとも遊技盤３０の裏面側に遊技球を案内排出することができ、一般入賞口３１内で遊技球が詰まることもない。
【０１２５】
また、背面部材４５０の樋４５２は、当該背面部材４５０を裏面視した状態において、遊技球が１個入る程度の大きさのＵの字形状としており、そのＵの字形状の当該樋４５２の高さは少なくとも遊技球の半径長さ以上としているので、樋４５２を通る遊技球が樋４５２から脱落するようなことがなく、好適に遊技盤３０の裏面側に案内排出することができる。
【０１２６】
また、取り付け板４４３は、その所定箇所に装飾表示部４６０を備え、背面部材４５０は、装飾表示部４６０の裏面側を覆うための背面板部４５４を備え、樋４５２は、背面板部４５４から一般入賞口３１の排出口３１ｂに向けて延出したものとしているので、本体部４４０の装飾表示部４６０の裏面側、つまり、取り付け板４４３の装飾表示部４６０の裏面側を覆うための背面板部４５４に遊技球を案内排出する樋４５２を設けることができ、背面板部４５４を主体とする背面部材４５０である場合でも、一般入賞口３１の小型化を図ることができ、一般入賞口３１の製造効率を向上させることができる遊技機を提供することができる。
【０１２７】
また、一般入賞口３１は、ネジ穴３１ｃを単数個とし、当該一般入賞口３１を裏面視した状態での排出口３１ｂの下方近接箇所のネジ穴３１ｃとは異なる箇所に、本体部４４０の取り付け板４４３に係合する係合爪４７０を備え、取り付け板４４３は、係合爪４７０が係合する被係合部４４３ｂを備えているので、単数個のネジと係合爪４７０とにより一般入賞口３１を本体部４４０の取り付け板４４３に強固に取り付けることができ、複数個のネジ穴を形成する必要がないことから、一の一般入賞口３１に対して複数個のネジ穴を形成することによって一般入賞口３１が大型化するという問題も発生しない。
【０１２８】
また、本体部４４０は、一般入賞口３１が複数個（本実施例では３個）取り付けられるものであり、背面部材４５０は、３個の一般入賞口３１それぞれに対応するように樋４５２を３個有しているので、３個の一般入賞口３１の小型化を図ることができる。
【０１２９】
この発明は、上記実施形態に限られることはなく、下記のように変形実施することができる。
【０１３０】
（１）上述した実施例では、入球手段として一般入賞口ユニット４３０を採用している。つまり、一般入賞口３１の小型化を図っているが、図４に示すように、第１の始動口３３や第２の始動口３４等の始動口や、可変入賞装置３２に適用して、これらの遊技部品の小型化等を図るようにしてもよい。
【０１３１】
（２）上述した実施例では、一般入賞口ユニット４３０は、３個の一般入賞口３１を有するものとしているが、３個以外の個数（１，２，４，５，…ｎ個の個数）の一般入賞口３１を有するものとしてもよい。
【０１３２】
（３）上述した実施例では、セルシート４１０を採用しているが、ベニヤ板４２０の前面側に直接に、遊技機を表すための表示や遊技領域を装飾するための表示を描画（印刷）などしたものを採用してもよい。
【０１３３】
（４）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１３４】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１３５】
以上のように、この発明は、パチンコ機やスロットマシン等の遊技機に適している。
【図面の簡単な説明】
【０１３６】
【図１】本発明の実施例のパチンコ機の概略正面図である。
【図２】内枠及び前面枠セットを開放した状態のパチンコ機を示す斜視図である。
【図３】前面枠セットを開放した状態における内枠等を示す正面図である。
【図４】遊技盤の構成を示す正面図である。
【図５】パチンコ機の電気的構成を示すブロック図である。
【図６】第１図柄表示装置の表示内容を示す説明図である。
【図７】実施例の遊技盤を前面斜め上から見た分解斜視図である。
【図８】実施例の一般入賞口ユニットを前面斜め上から見た外観斜視図である。
【図９】実施例の一般入賞口ユニットの正面図である。
【図１０】実施例の一般入賞口ユニットを前面斜め上から見た分解斜視図である。
【図１１】実施例の一般入賞口ユニットを裏面斜め上から見た分解斜視図である。
【図１２】（ａ）は実施例の一般入賞口ユニットの要部箇所を裏面斜め上から見た分解斜視図であり、（ｂ）は（ａ）に示す一般入賞口を取り付け板に取り付けた箇所を斜め上から見た分解斜視図である。
【図１３】従来例の入賞部品を裏面斜め上から見た分解斜視図である。
【図１４】従来例の入賞部品を前面斜め上から見た分解斜視図である。
【符号の説明】
【０１３７】
３０  …遊技盤
３１  …一般入賞口（受け部）
３１ａ…入力開口
３１ｂ…排出口
３１ｃ…ネジ穴
３８  …遊技球発射装置（発射手段）
４２０  …ベニヤ板（板状部材）
４３０  …一般入賞口ユニット（入球手段）
４４０  …本体部
４４１  …第１貫通孔
４４２  …第２貫通孔
４４３  …取り付け板
４５０  …背面部材
４５２  …樋
【図１】
2006218020.tif 000003
【図２】
2006218020.tif 000004
【図３】
2006218020.tif 000005
【図４】
2006218020.tif 000006
【図５】
2006218020.tif 000007
【図６】
2006218020.tif 000008
【図７】
2006218020.tif 000009
【図８】
2006218020.tif 000010
【図９】
2006218020.tif 000011
【図１０】
2006218020.tif 000012
【図１１】
2006218020.tif 000013
【図１２】
2006218020.tif 000014
【図１３】
2006218020.tif 000015
【図１４】
2006218020.tif 000016